(57)【要約】      （修正有）【課題】構造が簡単で構成部材が少なく、チークピースを調整することが可能な銃床構造を提供する。【解決手段】銃管体１１と銃床１２によって構成する。前記銃床の底部には、固定部材が設けられるとともに、グリップ１５が枢設される。前記グリップ１５と銃床１２の枢設により、てこの原理が形成され、それにより、前記固定部材は、グリップに押されて銃管体の底部の位置決め溝１１１内に連結される或いは分離する。前記銃床には、チークピース部材が設けられ、前記チークピース部材は、チークピース本体と、銃床に係合される支持体とによって構成する。前記チークピース本体は、銃床の末端が延伸してなるガイド溝内に設けられるとともに、支持体と枢設される。【選択図】図４
0003166780.tif 000002
【実用新案登録請求の範囲】
【請求項１】
銃管体と銃床とからなる銃体を備える調整可能な銃床構造であって、
前記銃管体の一端は、前記銃床内に収容され、前記銃管体の底部は複数の位置決め溝を形成し、前記銃床は、支持部と、グリップとからなり、
前記支持部は、前記銃床の底部に設けられ、前記支持部内には、前記位置決め溝に当接するとともに弾性を備える固定部材が収容され、前記固定部材は、前記支持部に枢設され、
前記グリップの所定の箇所は銃床と枢設され、前記グリップは、前記固定部材に当接する当接部を形成し、前記グリップの一端の内側には、少なくとも一つの係合部と少なくとも一つの位置決め部とが設けられ、
グリップと銃床の枢設によっててこの原理が形成され、それにより、前記固定部材は、グリップに押されて位置決め溝内に連結されるか、或いは位置決め溝から分離されることを特徴とする、調整可能な銃床構造。
【請求項２】
前記固定部材は、固定部と、第一切換棒と、第二切換棒と、弾性部材とを備え、
前記固定部の一端は、位置決め溝と当接する接触部を形成し、前記固定部の両側には、穿孔と、前記穿孔に隣接するとともに長い棒状を呈するスライド孔とが設けられ、
前記第一切換棒は、前記支持部と前記穿孔に貫設され、
前記第二切換棒は、前記支持部と前記スライド孔に貫設されるとともに、前記スライド孔内を往復して移動し、
前記支持部には、前記第一切換棒を貫設するための支持部スライド孔と、前記第二切換棒を固定するための固定孔とが設けられ、
前記弾性部材は、前記固定部内に収容され、
前記弾性部材の一端は前記第一切換棒に当接し、前記弾性部材の他端は前記第二切換棒に当接することを特徴とする、請求項１に記載の調整可能な銃床構造。
【請求項３】
前記銃床の底部には、前記係合部と対応するとともに前記係合部と係合される係合溝が設けられることを特徴とする、請求項１に記載の調整可能な銃床構造。
【請求項４】
前記銃床の一端は貼り合わせ部を形成し、前記貼り合わせ部には、少なくとも一つの連結部が設けられ、前記銃床の前記貼り合わせ部には底板が設けられ、前記底板には、前記連結部に対応する少なくとも一つの連結孔が設けられ、連結部材が連結孔と連結部に貫設されることにより、前記底板は前記貼り合わせ部に固定されることを特徴とする、請求項１に記載の調整可能な銃床構造。
【請求項５】
銃管体と銃床とからなる銃体を備える調整可能な銃床構造であって、
前記銃管体の一端は、前記銃床内に収容され、前記銃管体の底部は複数の位置決め溝を形成し、
前記銃床は、支持部と、グリップと、握部と、ギア部と、チークピース部材とを備え、
前記支持部は、前記銃床の底部に設けられ、前記支持部内には、前記位置決め溝に当接するとともに弾性を備える固定部材が収容され、前記固定部材は、前記支持部に枢設され、
前記グリップの所定の箇所は銃床と枢設され、前記グリップは、前記固定部材に当接する当接部を備え、
前記グリップの一端の内側には、少なくとも一つの係合部と、少なくとも一つの位置決め部が設けられ、
前記握部は、前記銃床の末端が延伸してなるとともに、ガイド溝を有し、
前記ギア部は、前記銃床の両側に設けられるとともに、前記握部から離れた箇所に設けられ、
前記チークピース部材は、前記銃床に設けれるとともに、前記チークピース部材は、チークピース本体と、支持体とによってなり、
前記チークピース本体の一側は、外側に延伸して、前記ガイド溝内に差し込まれる位置固定部材を形成し、前記位置固定部材には、複数の位置固定部が設けられ、
前記支持体は、チークピース本体の一端に枢設され、前記支持体の一端には固定ブロックが枢設され、前記固定ブロックは前記ギア部と係合されることを特徴とする、調整可能な銃床構造。
【請求項６】
前記握部には、弾性を備える押しピンが設けられ、前記押しピンは、前記位置固定部に係合されることを特徴とする、請求項５に記載の調整可能な銃床構造。
【請求項７】
前記固定部材は、固定部と、第一切換棒と、第二切換棒と、弾性部材とを備え、
前記固定部の一端は、位置決め溝に当接する接触部を形成し、前記固定部の両側は、穿孔と、前記穿孔に隣接するとともに長い棒状を呈するスライド孔とを形成し、
前記第一切換棒は、前記支持部と前記穿孔に貫設され、
前記第二切換棒は、前記支持部と前記スライド孔に貫設されるとともに、前記スライド孔内で往復の移動を行い、
前記支持部には、第一切換棒を貫設するための支持部スライド孔と、第二切換棒を固定するための固定孔が設けられ、
前記弾性部材は、前記固定部内に収容され、前記弾性部材の一端は、前記第一切換棒に当接し、前記弾性部材の他端は、前記第二切換棒に当接することを特徴とする、請求項５に記載の調整可能な銃床構造。
【請求項８】
前記銃床の底部には、前記係合部と対応するとともに前記係合部と係合される係合溝が設けられることを特徴とする、請求項５に記載の調整可能な銃床構造。
【請求項９】
前記銃床の一端は貼り合わせ部を形成し、前記貼り合わせ部には、少なくとも一つの連結部が設けられ、前記銃床の前記貼り合わせ部には底板が設けられ、前記底板には、前記連結部に対応する少なくとも一つの連結孔が設けられ、連結部材が連結孔と連結部に貫設されることにより、前記底板は前記貼り合わせ部に固定されることを特徴とする、請求項５に記載の調整可能な銃床構造。
【考案の詳細な説明】
【技術分野】
【０００１】
本考案は調整可能な銃床構造に関し、特に簡単な構造で、銃床やチークピースを調整することが可能な銃床構造に関する。
【背景技術】
【０００２】
サバイバルゲームは、今や、多くの人々が楽しむレクレーションの一つとなっている。玩具の銃を手に持ち、実践の野戦をシミュレーションしながら他の人とチームを組んでゲームを行い、皆で心を合わせてゲームを行う楽しみを得ることができる。
【０００３】
サバイバルゲームで玩具の銃を使う時、各プレイヤーの顔の形や大きさは不均一であるため、照準を定めるとき、顔の支えが安定せず、玩具の銃をぴったりとくっつけることができない。また、各プレイヤーの握り方、或いは習慣の違いにより、或いは玩具の銃を改造してライフルにした時、銃床を引き延ばして、銃床の底板をプレイヤーの胸の前にぴったりくっつける必要がある。この引き延ばす構造は、すでに市場に流通している。しかしながら、この構造は、厳密に言うと、二つの部材が作動している。一つは取っ手部で、もう一つは、固定構造である。銃床を引き延ばしたい時、まず固定構造を緩め、銃床の伸縮構造と銃管を分離させ、さらに取っ手部を押すと、銃床は銃管内のギア部から外れ、銃床を引き延ばす動作が完成する（前述の構造及び動作は、市場で現在流通している伸縮構造である）。しかしながら、この構造は、銃床を伸縮させることができるものの、構造が非常に複雑であり、構成部材の数が多すぎるため、生産コストが高くなり、製造時間も長くなるという欠点がある。
【考案の概要】
【考案が解決しようとする課題】
【０００４】
そこで、本考案は、構造が簡単で構成部材が少なく、チークピースを調整することが可能な銃床構造を提供することを目的とする。
【課題を解決するための手段】
【０００５】
本考案による調整可能な銃床構造は、銃管体と銃床とからなる銃体を備える。前記銃管体の一端は、前記銃床内に収容され、前記銃管体の底部は複数の位置決め溝を形成する。前記銃床は、支持部と、グリップとからなり、前記支持部は、前記銃床の底部に設けられ、前記支持部内には、前記位置決め溝に当接するとともに弾性を備える固定部材が収容され、前記固定部材は、前記支持部に枢設され、前記グリップは銃床の底部と枢設され、前記グリップは、前記固定部材に当接する当接部を形成し、前記グリップの一端の内側には、少なくとも一つの係合部と、グリップがぶれないようにするための少なくとも一つの位置決め部とが設けられる。以上の構造により、銃床を伸縮させる時、グリップを引くとグリップのてこの原理により係合部が銃床の底部から外れ、それと同時に、固定部材は弾性を備えているため、グリップをひいた後に、固定部材内の弾性部材は圧迫されてグリップに弾性張力を生じさせるとともに、固定部材を押し、それにより位置決め溝から外れ、銃床は伸縮する。反対に、所定の位置まで伸縮させた後、グリップを放すと、前記グリップは、てこの原理により、他端が固定部材の張力によって引き戻され、固定部材は位置決め溝と連結し、銃床と銃管体は再び連結して固定される。
【０００６】
また、本考案による調整可能な銃床構造は、銃管体と銃床とによって構成する。前記銃床の末端は延伸して、ガイド溝を備える握部を形成し、銃床の両側にはギア部が設けられる。前記銃床にはチークピース部材が設けられ、前記チークピース部材は、チークピース本体と、銃床と係合される支持体とによって構成する。前記チークピース本体は、銃床の末端が延伸してなるガイド溝内に設けられ、前記チークピース本体は、支持体に枢設される。以上の構造により、プレイヤーがチークピースの高さを顔の位置に調整したいときは、チークピース本体を上に向かって引き延ばすと、支持体によって支持され、自分にあったチークピースの高さに調整することができる。
【考案の効果】
【０００７】
本考案は、従来の玩具の銃の問題（伸縮構造が非常に複雑であり、構成部材の数が多すぎることにより生産コストが高くなったり製造時間が長くなったりする）を解決する。本考案によると、伸縮構造が簡単であり、構成部材の数が少なく、ひいては、生産コストを低くし、製造時間を短縮することができる。また、チークピースの調整ができないという従来の玩具の銃の欠点を解決し、プレイヤーの顔の大きさや位置に合わせてチークピースを調整することができる。
【図面の簡単な説明】
【０００８】
【図１】本考案の実施例１を示した斜視図である。
【図２】本考案の実施例１を示した断面図である。
【図３】本考案の実施例１を示した分解図である。
【図４】本考案の実施例１の動作を示した断面図１である。
【図５】本考案の実施例１の動作を示した断面図２である。
【図６】本考案の底板を示した分解図である。
【図７】本考案の底板と銃床を組み合わせた状態を示した説明図である。
【図８】本考案の実施例２を示した断面図である。
【図９】本考案の実施例２を示した分解図である。
【図１０】本考案のチークピース部材の動作を示した説明図１である。
【図１１】本考案のチークピース部材の動作を示した説明図２である。
【図１２】本考案のチークピース部材の動作を示した説明図３である。
【図１３】本考案のチークピース部材の動作を示した説明図４である。
【考案を実施するための形態】
【０００９】
（実施例１）
図１から図３を参照する。図１は、本考案の実施例１を示した斜視図であり、図２は、本考案の実施例１を示した断面図であり、図３は本考案の実施例１を示した分解図である。図から分かるように、本考案の実施例１による調整可能な銃床構造は、銃管体１１と銃床１２とからなる銃体１０を備える。銃管体１１の一端は、銃床１２内に収容され、銃管体１１の底部は複数の位置決め溝１１１を形成し、銃床１２は、支持部１３と、グリップ１５と、係合溝１６とからなる。
【００１０】
支持部１３は銃床１２の底部に設けられ、支持部１３内には、位置決め溝１１１に当接するとともに弾性を備えた固定部材１４が収容され、固定部材１４は支持部１３に枢設される。グリップ１５の所定の箇所は銃床１２と枢設され、グリップ１５は、固定部材１４に当接する当接部１５１を形成し、グリップ１５の一端の内側には、少なくとも一つの係合部１５２と少なくとも一つの位置決め部１５３とが設けられる。以上のように、グリップ１５と銃床１２を枢設することにより、てこの原理が形成され、固定部材１４は、グリップ１５に押されることにより、位置決め溝１１１内に連結されたり、位置決め溝１１１から分離したりする。係合溝１６は、銃床１２の底部に設けられるとともに係合部１５２と対応し、係合部１５２と係合される。
【００１１】
また、固定部材１４は、固定部１４１と、第一切換棒１４５と、第二切換棒１４６と、弾性部材１４７とを備える。固定部１４１の一端は、位置決め溝１１１と当接する接触部１４２を形成し、固定部１４１の両側には、相互に対応する穿孔１４３と、穿孔１４３に隣接するとともに長い棒状を呈するスライド孔１４４とが設けられる。第一切換棒１４５は、支持部１３と穿孔１４３に貫設される。第二切換棒１４６は、支持部１３とスライド孔１４４に貫設されるとともに、スライド孔１４４内を往復して移動させることができる。弾性部材１４７は、固定部１４１内に収容され、弾性部材１４７の一端は、第一切換棒１４５に当接し、他端は、第二切換棒１４６に当接する。また、支持部１３には、第一切換棒１４５を貫設するための支持部スライド孔１３１と、第二切換棒１４６を固定するための固定孔１３２が設けられる。
【００１２】
図２から図５を参照する。図４は、本考案の実施例１の動作を示した断面図１であり、図５は、本考案の実施例１の動作を示した断面図２である。ここで、銃床１２の伸縮を行う際の動作について説明を行う。まず、プレイヤーがグリップ１５を引くと、てこの原理によって係合部１５２が係合溝１６から外れるとともに、当接部１５１が第一切換棒１４５を押す。第一切換棒１４５は、当接部１５１に押されることで支持部スライド孔１３１内をスライドし、それにより固定部１４１が下に移動し、それと同時に弾性部材１４７は圧迫されて変形する。その時、第二切換棒１４６によって固定部１４１は安定し、左右にぶれることがない。その後、接触部１４２は位置決め溝１１１から外れる。そして、プレイヤーが、銃床１２を後方に適切な位置まで引っ張り、続けてグリップ１５を放すと、グリップ１５は反対方向に動作し、係合部１５２が前記係合溝１６の辺縁に接触した後、プレイヤーがグリップ１５を上に押しこむと、前記係合部１５２は係合溝１６内に係合して固定されるとともに、位置決め部１５３によって位置決めされ、前記グリップ１５は左右にぶれなくなる。
【００１３】
図６と図７を参照する。図６は、本考案の底板を示した分解図であり、図７は、本考案の底板と銃床を組み合わせた状態を示した説明図である。図から分かるように、銃床１２の一端は貼り合わせ部１２１を形成し、貼り合わせ部１２１には少なくとも一つの連結部１２２が設けられ、銃床１２の貼り合わせ部１２１には、底板１７がさらに設けられる。底板１７には、連結部１２２に対応する少なくとも一つの連結孔１７１が設けられ、連結部材１８を連結孔１７１と連結部１２２とに貫設することにより、底板１７は貼り合わせ部１２１に固定される。このように、底板１７を貼り合わせ部１２１に当接させ、底板１７の連結孔１７１と連結部１２２を対応させ、さらに、連結部材１８で連結孔１７１と連結部１２２を螺合することで底板１７は貼り合わせ部１２１に固定され、それにより、プレイヤーは、銃床を不快感なく胸の前にくっつけることができ、プレイヤー自身の安全を確保することができる。
【００１４】
（実施例２）
図８と図９を参照する。図８は、本考案の実施例２を示した断面図であり、図９は本考案の実施例２を示した分解図である。図から分かるように、本考案の実施例２による調整可能な銃床構造は、銃管体と銃床１２ａとによって構成する銃体１０ａを備える。銃管体の一端は銃床１２ａ内に収容され、銃管体の底部は複数の位置決め溝を形成する。銃床１２ａは、支持部１３ａと、グリップ１５ａと、係合溝１６ａと、握部１２３ａと、ギア部１２６ａと、チークピース部材２０ａとを備える。
【００１５】
支持部１３ａは、銃床１２ａの底部に設けられ、係合溝１６ａは、係合部１５２ａに係合される。支持部１３ａには、第一切換棒１４５ａを貫設するための支持部スライド孔１３１ａと、第二切換棒１４６ａを固定するための固定孔１３２ａとが設けられる。支持部１３ａ内には、位置決め溝に当接するとともに弾性を備える固定部材１４ａが収容され、固定部材１４ａは、支持部１３ａに枢設される。固定部材１４ａは、固定部１４１ａと、第一切換棒１４５ａ  と、第二切換棒１４６ａと、弾性部材１４７ａとを備える。
【００１６】
固定部１４１ａの一端は、位置決め溝に当接する接触部１４２ａを形成し、固定部１４１ａの両側は、相互に対応する穿孔１４３ａと、穿孔１４３ａに隣接するとともに長い棒状を呈するスライド孔１４４ａを形成する。第一切換棒１４５ａは、支持部１３ａと穿孔１４３ａに貫設される。第二切換棒１４６ａは、支持部１３ａとスライド孔１４４ａに貫設されるとともに、スライド孔１４４ａ内で往復の移動をさせることができる。弾性部材１４７ａは、固定部１４１ａ内に収容される。弾性部材１４７ａの一端は、第一切換棒１４５ａに当接し、他端は第二切換棒１４６ａに当接する。
【００１７】
グリップ１５ａの所定の箇所は銃床１２ａに枢設され、グリップ１５ａは、固定部材１４ａと当接する当接部１５１ａを備え、グリップ１５ａの一端の内側には、少なくとも一つの係合部１５２ａと、少なくとも一つの位置決め部１５３ａが設けられる。
【００１８】
握部１２３ａは、銃床１２ａの末端が延伸してなるとともに、ガイド溝１２４ａを有する。握部１２３ａには弾性を備える押しピン１２５ａが設けられ、押しピン１２５ａは、位置固定部２２１ａに係合される。ギア部１２６ａは、銃床１２ａの両側に設けられるとともに、握部１２３ａから離れた箇所に設けられる。また、チークピース部材２０ａは、銃床１２ａに設けられる。
【００１９】
チークピース部材２０ａは、チークピース本体２１ａと、支持体２３ａとによってなる。チークピース本体２１ａの一側は、外側に延伸して、ガイド溝１２４ａ内に差し込まれる位置固定部材２２ａを形成し、位置固定部材２２ａには、複数の位置固定部２２１ａが設けられ、支持体２３ａは、チークピース本体２１ａの一端に枢設され、支持体２３ａの一端には、固定ブロック２４ａが枢設され、固定ブロック２ａは、ギア部１２６ａと相互に係合される。
【００２０】
また、銃床１２ａの一端は、少なくとも一つの連結部１２２ａを備えた貼り合わせ部１２１ａを形成し、貼り合わせ部１２１ａには底板１７ａが設けられる。底板１７ａには、連結部１２２ａと対応する少なくとも一つの連結孔１７１ａが設けられ、連結部材１８を連結孔１７１ａと連結部１２２ａを貫設することにより、底板１７ａは貼り合わせ部１２１ａに固定される。
【００２１】
図８から図１３を参照する。図１０から図１３は、本考案のチークピース部材の動作を示した説明図１から説明図４である。図から分かるように、プレイヤーが、チークピース本体２１ａの高さを顔の適切な位置に調整したい場合は、押しピン１２５ａを押すと、押しピン１２５ａは位置固定部２２１ａから外れ、この時、プレイヤーがチークピース本体２１ａを上に引き伸ばすと、チークピース本体２１ａによって支持体２３ａの一端も連動して上に引き伸ばされ、支持体２３ａの他端に枢設された固定ブロック２４ａがギア部１２６ａ上で移動し係合される。チークピース本体２１ａを所定の位置まで伸ばした後、押しピン１２５ａから手を放すと、押しピン１２５ａは弾性回復し、別の位置固定部２２１ａで固定される。
【００２２】
また、銃床１２ａの伸縮構造の動作については、前述したとおりであり、ここでは記載を省略する。
【００２３】
本考案は、以下の長所がある。
１、伸縮構造が簡単であり、且つ構成部材の数が少なく、生産コストが低く、製造時間を短くすることができる。
２、プレイヤーは、顔の大きさや位置の違いに合わせて、チークピース本体２１を調整することができる。
【符号の説明】
【００２４】
１０、１０ａ      銃体    
１１              銃管体
１１１、１１１ａ  位置決め溝
１２、１２ａ      銃床    
１２１、１２１ａ  貼り合わせ部
１２２、１２２ａ  連結部
１２３ａ          握部    
１２４ａ          ガイド溝    
１２５ａ          押しピン
１２６ａ          ギア部    
１３、１３ａ      支持部
１３１、１３１ａ  支持部スライド孔
１３２、１３２ａ  固定孔
１４、１４ａ      固定部材
１４１、１４１ａ  固定部
１４２、１４２ａ  接触部
１４３、１４３ａ  穿孔    
１４４、１４４ａ  スライド孔    
１４５、１４５ａ  第一切換棒
１４６、１４６ａ  第二切換棒
１４７、１４７ａ  弾性部材
１５、１５ａ      グリップ  
１５１、１５１ａ  当接部
１５２、１５２ａ  係合部
１５３、１５３ａ  位置決め部
１６、１６ａ      係合溝    
１７、１７ａ      底板    
１７１、１７１ａ  連結孔
１８、１８ａ      連結部材
２０ａ            チークピース部材
２１ａ            チークピース本体
２２ａ            位置固定部材
２２１ａ          位置固定部
２３ａ            支持体    
２４ａ            固定ブロック
【図１】
0003166780.tif 000003
【図２】
0003166780.tif 000004
【図３】
0003166780.tif 000005
【図４】
0003166780.tif 000006
【図５】
0003166780.tif 000007
【図６】
0003166780.tif 000008
【図７】
0003166780.tif 000009
【図８】
0003166780.tif 000010
【図９】
0003166780.tif 000011
【図１０】
0003166780.tif 000012
【図１１】
0003166780.tif 000013
【図１２】
0003166780.tif 000014
【図１３】
0003166780.tif 000015